(57)【要約】【課題】装置に延びるリード線の数を削減することができるアンテナ装置を提供する。【解決手段】誘電体基板１と、誘電体基板１上に複数に分割されて形成された放射導体２と、複数に分割された放射導体２間に設けられオン／オフすることにより、放射導体２の形成するアンテナサイズを変化させる複数のスイッチ３と、無線にて送信されたスイッチ制御信号１４を受信する受信部（受信アンテナ９）と、スイッチ３に駆動電力を与える給電部（配線８）と、スイッチ制御信号１４に基づいて給電部を制御することによりスイッチをオン／オフさせるスイッチ制御部（スイッチ制御回路７）とを備えている。【選択図】            図１
2007208909.tif 000002
【特許請求の範囲】
【請求項１】
誘電体基板と、
前記誘電体基板上に複数に分割されて形成された放射導体と、
前記複数に分割された放射導体間に設けられオン／オフすることにより、前記放射導体の形成するアンテナ形状を変化させる複数のスイッチと、
無線にて送信されたスイッチ制御信号を受信する受信部と、
前記スイッチに駆動電力を与える給電部と、
前記スイッチ制御信号に基づいて前記給電部を制御することにより前記スイッチをオン／オフさせるスイッチ制御部と
を備えたことを特徴とするアンテナ装置。
【請求項２】
前記受信部は、電波にて到来する前記スイッチ制御信号を受信する受信アンテナを有することを特徴とする請求項１に記載のアンテナ装置。
【請求項３】
前記受信部は、光信号にて到来する前記スイッチ制御信号を受光する受光器を有する
ことを特徴とする請求項１に記載のアンテナ装置。
【請求項４】
前記給電部は、外部より有線にて電力を供給される
ことを特徴とする請求項１から３のいずれか１項に記載のアンテナ装置。
【請求項５】
前記給電部は、前記スイッチ制御信号の搬送波により、外部から無線にて電力を供給される
ことを特徴とする請求項２に記載のアンテナ装置。
【請求項６】
前記給電部は、前記スイッチ制御信号の光搬送波により、外部から無線にて電力を供給される
ことを特徴とする請求項３に記載のアンテナ装置。
【請求項７】
誘電体基板と、前記誘電体基板上に複数に分割されて形成された放射導体と、前記複数に分割された放射導体間に設けられオン／オフすることにより、前記放射導体の形成するアンテナ形状を変化させる複数のスイッチと、無線にて送信されたスイッチ制御信号を受信する受信部と、前記スイッチに駆動電力を与える給電部と、前記スイッチ制御信号に基づいて前記給電部を制御することにより前記スイッチをオン／オフさせるスイッチ制御部とを有するアンテナ装置を複数個整列して設けた
ことを特徴とするアレーアンテナ装置。
【請求項８】
前記受信部は、電波にて到来する前記スイッチ制御信号を受信する受信アンテナを有すること特徴とする請求項７に記載のアレーアンテナ装置。
【請求項９】
前記受信部は、光信号にて到来する前記スイッチ制御信号を受光する受光器を有する
こと特徴とする請求項７に記載のアレーアンテナ装置。
【発明の詳細な説明】
【技術分野】
【０００１】
この発明は、無線により制御されるスイッチを装荷したアンテナ装置、および当該アンテナ装置をアレー化したアレーアンテナ装置に関するものである。
【背景技術】
【０００２】
スイッチを装荷したアンテナ装置として、従来、以下のものが提案されている。すなわち、１以上のスイッチが装荷された放射導体と、その放射導体が実装された基板と、その基板の外部に設けられたスイッチの駆動電源と、このスイッチのオン／オフの制御を行う制御装置と、各スイッチと駆動電源、制御装置とを接続するためのリード線とを有するアンテナ装置提案されている（例えば、特許文献１および特許文献２参照）。
【０００３】
また、放射導体に装荷されるスイッチとしてＭＥＭＳ(Micro-Electro Mechanical Systems)技術を利用したものが提案されている（例えば、非特許文献１参照）。
【０００４】
また、スイッチが装荷された放射導体として、スイッチにて放射導体の形状を再構成して動作周波数や偏波等を可変できるものが提案されている（例えば、非特許文献２および非特許文献３参照）。
【０００５】
【特許文献１】特開２００５−２４４８３１号公報
【特許文献２】米国特許第６４１７８０７号明細書
【非特許文献１】Rebeiz, G. M. and J. B. Muldavin, "RF MEMS Switches and Switch Circuits," IEEE Microwave, Dec., pp.59-71, 2001.
【非特許文献２】A.W.M. Lee, S.K. Kagan, M. Wong, R.S. Singh, E.R. Brown, "Measurement and FEM modeling of a reconfigurable-patch antenna for use in the wideband gapfiller satellite system," Antennas and Propagation Society, International Symposium, 2003. IEEE, Vol.1, pp.379-382, 2003.
【非特許文献３】William H. Weedon, William J. Payne, "MEMS-Swiched Reconfigurable Antennas," Antennas and Propagation Society, 2001 IEEE International Symposium, 8-13 July, vol.3, pp.654-657, 2001.
【発明の開示】
【発明が解決しようとする課題】
【０００６】
しかしながら、上記特許文献１にて提案されているような従来のアンテナ装置においては、リード線の数はスイッチと同数だけ装備する必要があり、スイッチの数が増えると、それに比例してリード線の数も増えることとなる。そのため、リード線と制御装置との接続が煩雑になるという問題があった。
【０００７】
また、従来、このような構造のアンテナ装置をアレー化した場合、この問題がさらに顕著になった。つまり、アンテナ装置の数をＭ、１つのアンテナ装置に装備されたスイッチの数をＮとすると、アレー全体のリード線の数はＭ×Ｎにもなり、リード線と制御装置との接続がさらに煩雑になるという問題があった。さらには、リード線の数が増えることにより、アンテナ装置の重量が増大するという問題があった。
【０００８】
この発明は、係る課題を解決するために成されたものであり、スイッチの制御を無線にて行い、装置に延びるリード線の数を削減することができるアンテナ装置を提供することを目的とする。
【課題を解決するための手段】
【０００９】
上記課題を解決するために、この発明にかかるアンテナ装置は、誘電体基板と、誘電体基板上に複数に分割されて形成された放射導体と、複数に分割された放射導体間に設けられオン／オフすることにより、放射導体の形成するアンテナ形状を変化させる複数のスイッチと、無線にて送信されたスイッチ制御信号を受信する受信部と、スイッチに駆動電力を与える給電部と、スイッチ制御信号に基づいて給電部を制御することによりスイッチをオン／オフさせるスイッチ制御部とを備えたことを特徴とする。
【００１０】
また、この発明にかかるアレーアンテナ装置は、誘電体基板と、誘電体基板上に複数に分割されて形成された放射導体と、複数に分割された放射導体間に設けられオン／オフすることにより、放射導体の形成するアンテナ形状を変化させる複数のスイッチと、無線にて送信されたスイッチ制御信号を受信する受信部と、スイッチに駆動電力を与える給電部と、スイッチ制御信号に基づいて給電部を制御することによりスイッチをオン／オフさせるスイッチ制御部とを有するアンテナ装置を複数個整列して設けたことを特徴とする。
【発明の効果】
【００１１】
この発明にかかるアンテナ装置およびアレーアンテナ装置によれば、スイッチ制御信号送信器からアンテナ装置へのスイッチ制御信号の伝達が無線によって行われるので、アンテナ装置に延びるリード線の数を削減することができ、スイッチ制御回路とリード線との接続を簡素化することができるともに、アンテナ装置の軽量化を図ることができる。
【発明を実施するための最良の形態】
【００１２】
以下、本発明にかかるアンテナ装置の実施の形態を図面に基づいて詳細に説明する。なお、この実施の形態によりこの発明が限定されるものではない。
【００１３】
実施の形態１．
図１はこの発明にかかるアンテナ装置の実施の形態１の構成を示す斜視図であり、アンテナ装置を裏側から見た様子を示している。図１において、アンテナ装置３０は、概略平板状の誘電体基板１と、誘電体基板１上に設けられた放射導体２と、放射導体２上に装荷された複数のスイッチ３と、誘電体基板１の裏面に設けられた接地板４と、接地板４側から放射導体２に接続され放射導体２にＲＦ信号を給電する給電線５と、接地板４上に設けられた誘電体フィルム（または誘電体板）６と、誘電体フィルム６上の所定の位置に設けられえたスイッチ制御回路７と、複数のスイッチ３とスイッチ制御回路７とをそれぞれ接続する配線８と、スイッチ制御回路７から延び誘電体フィルム６上に形成された受信アンテナ９と、外部に設けられた電源１０とスイッチ制御回路７との間に設けられスイッチ３及びスイッチ制御回路７を駆動させる電力を供給するリード線１１とを有している。
【００１４】
また、図１において、スイッチ制御信号送信器１２は、アンテナ装置３０にスイッチ制御信号１４を送信する送信器であり、送信アンテナ１３を有している。スイッチ制御信号送信器１２から送信アンテナ１３を介してアンテナ装置３０に送信されたスイッチ制御信号１４は、アンテナ装置３０の受信アンテナ９にて受信された後、スイッチ制御回路７に伝達され、スイッチ制御回路７がスイッチ３のオン／オフを制御する際に使用される。
【００１５】
さらに詳細に説明する。誘電体基板１は、矩形平板状を成し、放射導体２は、この誘電体基板１の表側である第１面（図１では裏面が見えている）において、ほぼ中央部表面に形成されており、概略正方形を成す第１の放射導体２ａと、この第１の放射導体２ａの周囲に四辺に沿って所定の間隔だけ離れて形成された４枚の細幅の第２の放射導体２ｂとから構成されている。そして、第１の放射導体２ａと第２の放射導体２ｂとの間には、両導体２ａ，２ｂに架け渡されるように設けられた複数のスイッチ３が装荷されている。そして、複数のスイッチ３は、第１の放射導体２ａの辺に沿って等間隔に離れて設けられ、一辺にそれぞれ５個のスイッチ３が装荷されている。
【００１６】
スイッチ３は、例えば上記非特許文献１で提案されているＭＥＭＳ(Micro-Electro Mechanical Systems)技術を適用したスイッチ、ＦＥＴ(Field Effect Transistor)スイッチ、およびＰＩＮ(p-intrinsic-n)ダイオードスイッチ等のスイッチであり、駆動電力を供給すると両導体間を電気的に接続するようにオンし、供給しなければオフするスイッチである。
【００１７】
また、放射導体２は、上述のようにスイッチ３が装荷された放射導体であり、例えば特許文献１、非特許文献２および非特許文献３にて提案されているように、スイッチ３のオン／オフにて放射導体２の全体形状を再構成して、放射導体２がアンテナとして動作する場合の動作周波数や偏波等を可変できるものである。つまり、第１の放射導体２ａの各辺に設けられたスイッチ３をオン／オフ制御することにより、それぞれ第１の放射導体２ａと第２の放射導体２ｂとが離接し、これによりアンテナ形状を変化させることが可能で、送受信する電波の帯域や偏波等を可変とすることができるようにされている。
【００１８】
なお、本実施の形態のアンテナ装置３０においては、放射導体２が、概略正方形を成す第１の放射導体２ａと４枚の細幅の第２の放射導体２ｂとからなるが、放射導体２の全体の形状および分割のされ方は、この例に限定されるものではなく、例えば短冊状に切断し、複数の短冊状導体の間にスイッチ３を設け、スイッチ３のオン／オフ動作によりアンテナサイズを切り替えるといったものでもよい。
【００１９】
そして、誘電体基板１の裏面には全面にわたって接地板４が設けられている。そしてさらに接地板４の面上には全面にわたって誘電体フィルム（または誘電体板）６が設けられている。第１の放射導体２ａには、誘電体フィルム６を貫通してＲＦ信号を給電する給電線５が接続されている。
【００２０】
誘電体フィルム６上の所定の位置（図１の上部位置）にスイッチ制御回路７が設けられている。このスイッチ制御回路７と複数のスイッチ３との間には、両者を接続する配線８が放射線状に広がって架け渡されている。
【００２１】
スイッチ制御回路７からは、受信アンテナ９が延出している。受信アンテナ９は、誘電体フィルム６上にパターンで形成され、一端部をスイッチ制御回路７に電気的に接続させ、誘電体基板１の外周縁部に沿って誘電体基板１を一周した後、他端部を同じスイッチ制御回路７に電気的に接続させている。
【００２２】
アンテナ装置３０の外部には、スイッチ３及びスイッチ制御回路７を駆動させる電力を供給する電源１０が設けられている。そして、この電源１０からスイッチ制御回路７にリード線１１が延びている。
【００２３】
ここで、受信アンテナ９は、無線にて送信されたスイッチ制御信号１４を受信する受信部を構成している。また、配線８は、スイッチ３に駆動電力を与える給電部を構成している。さらに、スイッチ制御回路７は、スイッチ制御信号１４に基づいて配線８（給電部）を制御するスイッチ制御部を構成している。
【００２４】
次に、アンテナ装置３０の動作を説明する。アンテナ装置３０の各スイッチ３をオン／オフするスイッチ制御信号１４が、スイッチ制御信号送信器１２から送信アンテナ１３を介してアンテナ装置３０に向けて電波にて放射される。この電波として放射されたスイッチ制御信号１４は、アンテナ装置３０の受信アンテナ９にて受信され、その後、スイッチ制御回路７に取り込まれる。
【００２５】
一方、リード線１１を通じて、スイッチ制御回路７とスイッチ３の駆動電力とが電源１０より供給されている。スイッチ制御回路７は、受信したスイッチ制御信号１４の指示に基づいて、オンすべきスイッチ３に対して配線８を介して駆動電力を供給し、これにより、所望のスイッチ３をオンさせる。また、オフすべきスイッチ３に対して駆動電力を供給しないことにより、所望のスイッチ３をオフさせる。このようにして、所定のスイッチ３をオン／オフすることにより、放射導体２の形状を再構成して、所望の動作周波数や偏波等を得る。
【００２６】
このような構成のアンテナ装置３０によれば、各スイッチ３の制御を行うスイッチ制御信号１４が、スイッチ制御信号送信器１２の送信アンテナ１３から受信アンテナ９へ無線にて伝達される。そのため、スイッチ３の制御信号を伝達するためのリード線が不要となる。これにより、外部からアンテナ装置３０に延びるリード線を、電源１０とスイッチ制御回路７とを接続するリード線１１の１本とすることができる。これにより、従来Ｎ個のスイッチに対してＮ本必要であったリード線をスイッチ３の数によらず１本とすることができるので、リード線の数を大幅に削減することができ、リード線接続が煩雑となる問題を解消することができるとともに、アンテナ装置３０の軽量化を図ることができる。
【００２７】
図２は本実施の形態１のアンテナ装置の他の例を示す斜視図であり、アンテナ装置を表側から見た様子を示している。図２において、アンテナ装置４０は、放射導体２と同じ同一平面上に設けられた受信アンテナ９、スイッチ制御回路７および配線８を有している。その他の構成は、図１に示すアンテナ装置３０と同様な構成である。このような構成のアンテナ装置４０においても、図１に示すアンテナ装置３０と同様な機能を得られる他、薄型化が図れる等の効果を得ることができる。なお、図１に示すアンテナ装置３０と同様に、受信部を構成する受信アンテナ９とスイッチ制御回路７とは、一体化して設けられてもよい。
【００２８】
図３は本実施の形態１の図１のアンテナ装置３０をアレー化してなるアレーアンテナ装置の様子を示す斜視図であり、アレーアンテナ装置を裏面から見た様子を示している。図３において、図１示されたアンテナ装置３０が、同一平面状に複数個マトリックス状に並べられてアレーアンテナ装置１００が構成されている。各アンテナ装置３０には、リード線１１から延び誘電体フィルム６上で枝分かれするように形成された電力分配回路１５が電気的に接続されており、これにより、各アンテナ装置３０に電力が分配されている。
【００２９】
このように、誘電体フィルム６上に設けた電力分配回路１５により各アンテナ装置３０に電力を分配し、電源１０及びリード線１１を共有化することで、外部の電源１０からアレーアンテナ装置１００へ延びるリード線１１を１本とすることができる。このように、本実施の形態１のアンテナ装置３０を用いてアレーアンテナ装置１００を構成することにより、本来、従来のアンテナ装置であれば、アンテナ装置の数をＭ、１つのアンテナ装置に装備されたスイッチの数をＮとしたとき、リード線の数はＭ×Ｎ本と膨大であったものが、１本とすることができるので、リード線の数を大幅に削減することができ、リード線接続煩雑化の解消と軽量化の効果をより発揮することができる。
【００３０】
以上のように本実施の形態１のアンテナ装置３０，４０においては、スイッチ制御信号送信器１２からアンテナ装置３０，４０へのスイッチ制御信号１４の伝達が無線によって行われるので、アンテナ装置３０，４０に延びるリード線の数を削減することができ、スイッチ制御回路７とリード線１１との接続を簡素化することができるともに、アンテナ装置３０，４０の軽量化を図ることができる。さらに、これらアンテナ装置３０，４０を複数個整列して構成したアレーアンテナ装置１００においては、リード線接続煩雑化の解消と軽量化の効果をより効果的に得ることができる。
【００３１】
実施の形態２．
図４はこの発明にかかるアンテナ装置の実施の形態２の構成を示す斜視図であり、アンテナ装置を裏側から見た様子を示している。図４において、本実施の形態２のアンテナ装置５０は、図１に示された実施の形態１のアンテナ装置３０に対して、電源１０とリード線１１が削除されている。そして、実施の形態１のアンテナ装置３０においては、各スイッチ３のオン／オフ制御をするスイッチ制御信号１４の伝達が無線によって行われ、スイッチ制御回路７及び各スイッチ３の駆動電力は、電源１０からリード線１１を用いて供給されていたが、本実施の形態２のアンテナ装置５０においては、スイッチ制御回路７及び各スイッチ３の駆動電力は、スイッチ制御信号１４と同様に無線にて供給されている。
【００３２】
つまり、本実施の形態２のスイッチ制御回路１６は、受信したスイッチ制御信号１４に基づいて、オンすべきスイッチ３に対して配線８を介して駆動電力を供給し、これにより、所望のスイッチ３をオンさせ、オフすべきスイッチ３に対して駆動電力を供給しないことにより、所望のスイッチ３をオフさせる機能と、スイッチ制御信号１４を畳重している搬送波からスイッチ制御回路７及び各スイッチ３の駆動電力を得る機能とを有している。
【００３３】
このような構成のアンテナ装置５０によれば、スイッチ制御信号を伝送するリード線に加えて、駆動電力を供給するリード線をさらに削減することができるので、リード線接続煩雑化の解消と軽量化の課題をより効果的に解決することができる。なお、実施の形態１と同様に、受信部を構成する受信アンテナ９とスイッチ制御回路７とを一体化して設けてもよい。
【００３４】
実施の形態３．
図５はこの発明にかかるアンテナ装置の実施の形態３の構成を示す斜視図であり、アンテナ装置を裏側から見た様子を示している。実施の形態１および実施の形態２においては、スイッチ制御信号１４の搬送波は、送信アンテナ１３により送受信される電波であったが、本実施の形態３においては、搬送波として光を用いる。図５において、アンテナ装置６０は、図１に示す実施の形態１のアンテナ装置３０の受信アンテナ９に相当する光受信器１８を有している。光受信器１８は、例えば、誘電体フィルム６上にスイッチ制御回路７に隣接して設けられている。
【００３５】
光受信器１８とスイッチ制御回路７との間には、光受信器１８で受信したスイッチ制御信号２２をスイッチ制御器へ伝送する配線１９と、スイッチ制御回路７から光受信器１８へ電力を供給する電力供給配線２１が設けられている。ここで、光受信器１８は、無線（光）にて送信されたスイッチ制御信号２２を受信する受信部を構成している。光受信器１８の駆動電力は、電源１０よりリード線１１、スイッチ制御回路７、電力供給配線２１を介して供給される。その他の構成は、図１に示した実施の形態１のアンテナ装置３０と同様である。
【００３６】
一方、スイッチ制御信号送信器１２には、送信アンテナ１３に替えて光送信器１７が接続されている。そして、スイッチ制御信号送信器１２は、この光送信器１７によって、アンテナ装置６０に向けてスイッチ制御信号２２を放射する。
【００３７】
動作を説明する。スイッチ制御信号２２は、スイッチ制御信号送信器１２から光送信器１７により光信号として放射される。光信号として放射されたスイッチ制御信号２２は光受信器１８で受信され、配線１９を介してスイッチ制御回路７に送られる。その後、このスイッチ制御信号２２に基づいてスイッチ３が制御される動作は、実施の形態１と同様である。
【００３８】
このような構成のアンテナ装置６０によれば、実施の形態１の効果に加え、光によりスイッチ制御信号２２を伝送するため、周辺機器からの電磁干渉を受けることなく伝送でき、逆に周辺機器へ電磁干渉を与えることもない。
【００３９】
図６は本実施の形態３のアンテナ装置の他の例を示す斜視図であり、アンテナ装置を表側から見た様子を示している。図６において、アンテナ装置７０は、放射導体２と同じ同一平面上に設けられた受信アンテナ９、スイッチ制御回路７および配線８を有している。その他の構成は、図５に示すアンテナ装置６０と同様な構成である。このような構成のアンテナ装置７０においても、図５に示すアンテナ装置６０と同様な機能を得られる他、薄型化が図れる等の効果を得ることができる。
【００４０】
図７は本実施の形態３の図５のアンテナ装置６０をアレー化してなるアレーアンテナ装置の様子を示す斜視図であり、アレーアンテナ装置を裏面から見た様子を示している。図７において、図５に示されたアンテナ装置６０が、同一平面状に複数個マトリックス状に並べられてアレーアンテナ装置２００が構成されている。各アンテナ装置６０には、リード線１１から延び誘電体フィルム６上で枝分かれするように形成された電力分配回路２３が電気的に接続されており、これにより、各アンテナ装置６０に電力が分配されている。
【００４１】
このように、誘電体フィルム６上に設けた電力分配回路２３により各アンテナ装置６０に電力を分配することで電源１０及びリード線１１を共有化し、外部の電源１０からアレーアンテナ装置２００へ延びるリード線１１を１本とすることができる。このように、本実施の形態３のアンテナ装置６０を用いてアレーアンテナ装置２００を構成することにより、リード線の数を大幅に削減することができ、リード線接続煩雑化の解消と軽量化の効果をより発揮することができる。
【００４２】
なお、リード線１１を光受信器１８に接続し、電力供給線１９を介してスイッチ制御回路７にスイッチ制御回路７及びスイッチ３の駆動電力を供給してもよい。また、配線１９及び配線２１を削除し、光受信器１８とスイッチ制御回路７を一体化してもよい。
【００４３】
実施の形態４．
図８はこの発明にかかるアンテナ装置の実施の形態４の構成を示す斜視図であり、アンテナ装置を裏側から見た様子を示している。図８において、本実施の形態４のアンテナ装置８０は、図５に示された実施の形態３のアンテナ装置６０の電源１０およびリード線１１に替わって、電力供給用光源２４が設けられている。その他の構成は、実施の形態３のアンテナ装置６０と同様である。
【００４４】
本実施の形態４に係る光受信器２５は、光として放射されたスイッチ制御信号２２を受信するとともにと、電力供給用光源２４から発せられる光２６より、光受信器２５、スイッチ制御回路７およびスイッチ３の駆動電力を得る機能を有している。
【００４５】
このような構成の本実施の形態４のアンテナ装置８０によれば、図４に示す実施の形態２のアンテナ装置５０の機能に加え、さらに図５に示す実施の形態３のアンテナ装置６０の機能を併せ持つアンテナ装置とすることができる。なお、実施の形態３と同様に、光受信器２５とをスイッチ制御回路７とを一体化して設けてもよい。
【００４６】
図９は本実施の形態４のアンテナ装置の他の例を示す斜視図であり、アンテナ装置を裏側から見た様子を示している。図９において、アンテナ装置９０は、図８に示すアンテナ装置８０と比較して電力供給用光源２４からの電力供給を受けない。そして、アンテナ装置９０の光受信器２７は、光として放射されたスイッチ制御信号２２を搬送する光信号から駆動電力を得る。つまり、アンテナ装置９０の光受信器２７は、光として放射されたスイッチ制御信号２２を受信する機能と、スイッチ制御信号２２の搬送波としての光より、光受信器２７、スイッチ制御回路７およびスイッチ３の駆動電力を得る機能とを有している。このような構成のアンテナ装置９０においては、電力供給用光源２４を用意しなくてよいので、機器構成を簡素化できるとともに、コストダウンを図ることができる。
【産業上の利用可能性】
【００４７】
この発明のアンテナ装置およびアレーアンテナ装置は、主に通信、レーダ等に使用されて好適なものである。
【図面の簡単な説明】
【００４８】
【図１】この発明にかかるアンテナ装置の実施の形態１の構成を示す斜視図である。
【図２】実施の形態１のアンテナ装置の他の例を示す斜視図である。
【図３】実施の形態１の図１のアンテナ装置をアレー化してなるアレーアンテナ装置の様子を示す斜視図である。
【図４】この発明にかかるアンテナ装置の実施の形態２の構成を示す斜視図である。
【図５】この発明にかかるアンテナ装置の実施の形態３の構成を示す斜視図である。
【図６】実施の形態３のアンテナ装置の他の例を示す斜視図である。
【図７】実施の形態３の図５のアンテナ装置をアレー化してなるアレーアンテナ装置の様子を示す斜視図である。
【図８】この発明にかかるアンテナ装置の実施の形態４の構成を示す斜視図である。
【図９】本実施の形態４のアンテナ装置の他の例を示す斜視図である。
【符号の説明】
【００４９】
１  誘電体基板
２  放射導体
３  スイッチ
４  接地板
５  給電線
６  誘電体フィルム（または誘電体板）
７，１６  スイッチ制御回路（スイッチ制御部）
８  配線（給電部）
９  受信アンテナ（受信部）
１０  電源
１１  リード線
１２  スイッチ制御信号送信器
１３  送信アンテナ
１４  放射されたスイッチ制御信号
１５  電力分配回路
１７  光送信器
１８  光受信器（受信部）
１９，２１  配線
２２  放射されたスイッチ制御信号(光)
２３  電力分配回路
２４  電力供給用光源
２５，２７  光受信器
２６  光
３０，４０，５０，６０，７０，８０，９０  アンテナ装置
１００，２００  アレーアンテナ装置
【図１】
2007208909.tif 000003
【図２】
2007208909.tif 000004
【図３】
2007208909.tif 000005
【図４】
2007208909.tif 000006
【図５】
2007208909.tif 000007
【図６】
2007208909.tif 000008
【図７】
2007208909.tif 000009
【図８】
2007208909.tif 000010
【図９】
2007208909.tif 000011